(57)【要約】      （修正有）【課題】スペースデプリの周回データをコンピユータ解析して地球近傍小惑星、彗星等からデプリ除去飛翔体を出射することによりスペースデプリを除去することを特徴とするスペースデプリ除去システムを提供する。【解決手段】本発明は、スペースデプリ周回データをコンピユータ解析してスペースデプリ６に関する周回データ等から取得した分析データにより地球近傍小惑星、彗星等を探査してデプリ除去飛翔体の足場を構築しここで目的スペースデプリに最適条件のデプリ除去飛翔体３０Ａ，３０Ｂ，３０Ｃ，３０Ｄを製造してスペースデプリに出射誘導してデプリを除去する。さらに、このシステム運営を証券担保等として金融市場で資産化して金融需要を活性化することで宇宙産業の発展を促進する。【選択図】図１
2019031262.tif 000002
【特許請求の範囲】
【請求項１】
スペースデプリの周回データをコンピユータ解析して地球近傍小惑星、彗星等から飛翔体を出射して前記スペースデプリを除去することを特徴とするスペースデプリ除去システム
【請求項２】
スペースデプリの周回データをコンピユータ解析して地球近傍小惑星から飛翔体を出射して前記スペースデプリを除去することを特徴とするスペースデプリ除去システム
【請求項３】
スペースデプリの周回データをコンピユータ解析して彗星から飛翔体を出射して前記スペースデプリを除去することを特徴とするスペースデプリ除去システム
【請求項４】
スペースデプリの周回データをコンピユータ解析して地球近傍小惑星、彗星等を探査しスペースデプリを除去に最適な周回軌道を有する前記地球近傍小惑星、彗星等から飛翔体を出射して前記スペースデプリを除去することを特徴とするスペースデプリ除去システム
【請求項５】
スペースデプリの周回データをコンピユータ解析して地球近傍小惑星を探査しスペースデプリを除去に最適な周回軌道を有する前記地球近傍小惑星から飛翔体を出射して前記スペースデプリを除去することを特徴とするスペースデプリ除去システム
【請求項６】
スペースデプリの周回データをコンピユータ解析して彗星を探査しスペースデプリを除去に最適な周回軌道を有する前記彗星から飛翔体を出射して前記スペースデプリを除去することを特徴とするスペースデプリ除去システム
【請求項７】
スペースデプリの周回データをコンピユータ解析して地球近傍小惑星、彗星等から飛翔体を出射してこれに前記スペースデプリを包含して除去することを特徴とするスペースデプリ除去システム
【請求項８】
スペースデプリの周回データをコンピユータ解析して地球近傍小惑星から飛翔体を出射してこれに前記スペースデプリを包含して除去することを特徴とするスペースデプリ除去システム
【請求項９】
スペースデプリの周回データをコンピユータ解析して彗星から飛翔体を出射してこれに前記スペースデプリを包含して除去することを特徴とするスペースデプリ除去システム
【請求項１０】
スペースデプリの周回データをコンピユータ解析して地球近傍小惑星、彗星等を探査しスペースデプリを除去に最適な周回軌道を有する前記地球近傍小惑星、彗星等      から飛翔体を出射してこれに前記スペースデプリを包含して除去することを特徴とするスペースデプリ除去システム
【請求項１１】
スペースデプリの周回データをコンピユータ解析して地球近傍小惑星を探査しスペースデプリを除去に最適な周回軌道を有する前記地球近傍小惑星から飛翔体を出射してこれに前記スペースデプリを包含して除去することを特徴とするスペースデプリ除去システム
【請求項１２】
スペースデプリの周回データをコンピユータ解析して彗星を探査しスペースデプリを除去に最適な周回軌道を有する前記彗星から飛翔体を出射してこれに前記スペースデプリを包含して除去することを特徴とするスペースデプリ除去システム
【請求項１３】
スペースデプリの周回データをコンピユータ解析して地球近傍小惑星、彗星等から飛翔体を出射しこれを誘導して前記スペースデプリを除去することを特徴とするスペースデプリ除去システム
【請求項１４】
スペースデプリの周回データをコンピユータ解析して地球近傍小惑星から飛翔体を出射しこれを誘導して前記スペースデプリを除去することを特徴とするスペースデプリ除去システム
【請求項１５】
スペースデプリの周回データをコンピユータ解析して彗星から飛翔体を出射しこれを誘導して前記スペースデプリを除去することを特徴とするスペースデプリ除去システム
【請求項１６】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれを誘導して前記スペースデプリを除去することを特徴とするスペースデプリ除去システム
【請求項１７】
スペースデプリの周回データをコンピユータ解析して地球近傍小惑星を探査しスペースデプリを除去に最適な周回軌道を有する前記地球近傍小惑星から飛翔体を出射しこれを誘導して前記スペースデプリを除去することを特徴とするスペースデプリ除去システム
【請求項１８】
スペースデプリの周回データをコンピユータ解析して地球近傍小惑星、彗星等から飛翔体を出射しこれを誘導し前記飛翔体に前記スペースデプリを包含して除去することを特徴とするスペースデプリ除去システム
【請求項１９】
スペースデプリの周回データをコンピユータ解析して地球近傍小惑星から飛翔体を出射しこれを誘導し前記飛翔体に前記スペースデプリを包含して除去することを特徴とするスペースデプリ除去システム
【請求項２０】
スペースデプリの周回データをコンピユータ解析して彗星から飛翔体を出射しこれを誘導し前記飛翔体に前記スペースデプリを包含して除去することを特徴とするスペースデプリ除去システム
【請求項２１】
スペースデプリの周回データをコンピユータ解析して彗星から飛翔体を出射しこれを誘導し前記飛翔体に前記スペースデプリを包含して除去することを特徴とするスペースデプリ除去システム
【請求項２２】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれを誘導し前記飛翔体に前記スペースデプリを包含して除去することを特徴とするスペースデプリ除去システム
【請求項２３】
スペースデプリの周回データをコンピユータ解析して地球近傍小惑星を探査しスペースデプリを除去に最適な周回軌道を有する前記地球近傍小惑星から飛翔体を出射しこれを誘導し前記飛翔体に前記スペースデプリを包含して除去することを特徴とするスペースデプリ除去システム
【請求項２４】
スペースデプリの周回データをコンピユータ解析して彗星を探査しスペースデプリを除去に最適な周回軌道を有する前記彗星から飛翔体を出射しこれを誘導し前記飛翔体に前記スペースデプリを包含して除去することを特徴とするスペースデプリ除去システム
【請求項２５】
スペースデプリの周回データをコンピユータ解析して地球近傍小惑星、彗星等から飛翔体を出射してこれに第二宇宙速度もしくはこれを超えた速度を与えて前記スペースデプリを除去することを特徴とするスペースデプリ除去システム
【請求項２６】
スペースデプリの周回データをコンピユータ解析して地球近傍小惑星から飛翔体を出射してこれに第二宇宙速度もしくはこれを超えた速度を与えて前記スペースデプリを除去することを特徴とするスペースデプリ除去システム
【請求項２７】
スペースデプリの周回データをコンピユータ解析して彗星から飛翔体を出射してこれに第二宇宙速度もしくはこれを超えた速度を与えて前記スペースデプリを除去することを特徴とするスペースデプリ除去システム
【請求項２８】
スペースデプリの周回データをコンピユータ解析して地球近傍小惑星、彗星等を探査しスペースデプリを除去に最適な周回軌道を有する前記地球近傍小惑星、彗星等      から飛翔体を出射してこれに第二宇宙速度もしくはこれを超えた速度を与えて前記スペースデプリを除去することを特徴とするスペースデプリ除去システム
【請求項２９】
スペースデプリの周回データをコンピユータ解析して地球近傍小惑星を探査しスペースデプリを除去に最適な周回軌道を有する前記地球近傍小惑星から飛翔体を出射してこれに第二宇宙速度もしくはこれを超えた速度を与えて前記スペースデプリを除去することを特徴とするスペースデプリ除去システム
【請求項３０】
スペースデプリの周回データをコンピユータ解析して彗星を探査しスペースデプリを除去に最適な周回軌道を有する前記彗星から飛翔体を出射してこれに第二宇宙速度もしくはこれを超えた速度を与えて前記スペースデプリを除去することを特徴とするスペースデプリ除去システム
【請求項３１】
スペースデプリの周回データをコンピユータ解析して地球近傍小惑星、彗星等から飛翔体を出射してこれに第二宇宙速度もしくはこれを超えた速度を与えて前記スペースデプリを前記飛翔体に包含して除去することを特徴とするスペースデプリ除去システム
【請求項３２】
スペースデプリの周回データをコンピユータ解析して地球近傍小惑星から飛翔体を出射してこれに第二宇宙速度もしくはこれを超えた速度を与えて前記スペースデプリを前記飛翔体に包含して除去することを特徴とするスペースデプリ除去システム
【請求項３３】
スペースデプリの周回データをコンピユータ解析して彗星から飛翔体を出射してこれに第二宇宙速度もしくはこれを超えた速度を与えて前記スペースデプリを前記飛翔体に包含して除去することを特徴とするスペースデプリ除去システム
【請求項３４】
スペースデプリの周回データをコンピユータ解析して地球近傍小惑星、彗星等を探査しスペースデプリを除去に最適な周回軌道を有する前記地球近傍小惑星、彗星等      から飛翔体を出射してこれに第二宇宙速度もしくはこれを超えた速度を与えて前記スペースデプリを前記飛翔体に包含して除去することを特徴とするスペースデプリ除去システム
【請求項３５】
スペースデプリの周回データをコンピユータ解析して地球近傍小惑星を探査しスペースデプリを除去に最適な周回軌道を有する前記地球近傍小惑星から飛翔体を出射してこれに第二宇宙速度もしくはこれを超えた速度を与えて前記スペースデプリを前記飛翔体に包含して除去することを特徴とするスペースデプリ除去システム
【請求項３６】
スペースデプリの周回データをコンピユータ解析して彗星を探査しスペースデプリを除去に最適な周回軌道を有する前記彗星から飛翔体を出射してこれに第二宇宙速度もしくはこれを超えた速度を与えて前記スペースデプリを前記飛翔体に包含して除去することを特徴とするスペースデプリ除去システム
【請求項３７】
スペースデプリの周回データをコンピユータ解析して地球近傍小惑星、彗星等から飛翔体を出射しこれに第二宇宙速度もしくはこれを超えた速度を与えて誘導して前記スペースデプリを除去することを特徴とするスペースデプリ除去システム
【請求項３８】
スペースデプリの周回データをコンピユータ解析して地球近傍小惑星から飛翔体を出射しこれに第二宇宙速度もしくはこれを超えた速度を与えて前記飛翔体を誘導して前記スペースデプリを除去することを特徴とするスペースデプリ除去システム
【請求項３９】
スペースデプリの周回データをコンピユータ解析して彗星から飛翔体を出射しこれに第二宇宙速度もしくはこれを超えた速度を与えてこれを誘導して前記スペースデプリを除去することを特徴とするスペースデプリ除去システム
【請求項４０】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれに第二宇宙速度もしくはこれを超えた速度を与えてこれを誘導して前記スペースデプリを除去することを特徴とするスペースデプリ除去システム
【請求項４１】
スペースデプリの周回データをコンピユータ解析して地球近傍小惑星を探査しスペースデプリを除去に最適な周回軌道を有する前記地球近傍小惑星から飛翔体を出射しこれに第二宇宙速度もしくはこれを超えた速度を与えてこれを誘導して前記スペースデプリを除去することを特徴とするスペースデプリ除去システム
【請求項４２】
スペースデプリの周回データをコンピユータ解析して地球近傍小惑星、彗星等から飛翔体を出射しこれに第二宇宙速度もしくはこれを超えた速度を与えてこれを誘導し前記飛翔体に前記スペースデプリを前記飛翔体に包含して除去することを特徴とするスペースデプリ除去システム
【請求項４３】
スペースデプリの周回データをコンピユータ解析して地球近傍小惑星から飛翔体を出射しこれに第二宇宙速度もしくはこれを超えた速度を与えてこれを誘導し前記飛翔体に前記スペースデプリを前記飛翔体に包含して除去することを特徴とするスペースデプリ除去システム
【請求項４４】
スペースデプリの周回データをコンピユータ解析して彗星から飛翔体を出射しこれに第二宇宙速度もしくはこれを超えた速度を与えてこれを誘導し前記飛翔体に前記スペースデプリを前記飛翔体に包含して除去することを特徴とするスペースデプリ除去システム
【請求項４５】
スペースデプリの周回データをコンピユータ解析して彗星から飛翔体を出射しこれに第二宇宙速度もしくはこれを超えた速度を与えてこれを誘導し前記飛翔体に前記スペースデプリを前記飛翔体に包含して除去することを特徴とするスペースデプリ除去システム
【請求項４６】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれに第二宇宙速度もしくはこれを超えた速度を与えてこれを誘導し前記飛翔体に前記スペースデプリを前記飛翔体に包含して除去することを特徴とするスペースデプリ除去システム
【請求項４７】
スペースデプリの周回データをコンピユータ解析して地球近傍小惑星を探査しスペースデプリを除去に最適な周回軌道を有する前記地球近傍小惑星から飛翔体を出射しこれに第二宇宙速度もしくはこれを超えた速度を与えてこれを誘導し前記飛翔体に前記スペースデプリを前記飛翔体に包含して除去することを特徴とするスペースデプリ除
【請求項４８】
スペースデプリの周回データをコンピユータ解析して彗星を探査しスペースデプリを除去に最適な周回軌道を有する前記彗星から飛翔体を出射しこれに第二宇宙速度もしくはこれを超えた速度を与えてこれを誘導し前記飛翔体に前記スペースデプリを前記飛翔体に包含して除去することを特徴とするスペースデプリ除去システム
【請求項４９】
スペースデプリの周回データをコンピユータ解析して地球近傍小惑星、彗星等から飛翔体を出射して前記スペースデプリを除去するとともにシステムを金融市場で資産化  することを特徴とするスペースデプリ除去システム
【請求項５０】
スペースデプリの周回データをコンピユータ解析して地球近傍小惑星から飛翔体を出射して前記スペースデプリを除去するとともにシステムを金融市場で資産化することを特徴とするスペースデプリ除去システム
【請求項５１】
スペースデプリの周回データをコンピユータ解析して彗星から飛翔体を出射して前記スペースデプリを除去するとともにシステムを金融市場で資産化することを特徴とするスペースデプリ除去システム
【請求項５２】
スペースデプリの周回データをコンピユータ解析して地球近傍小惑星、彗星等を探査しスペースデプリを除去に最適な周回軌道を有する前記地球近傍小惑星、彗星等      から飛翔体を出射して前記スペースデプリを除去するとともにシステムを金融市場で資産化することを特徴とするスペースデプリ除去システム
【請求項５３】
スペースデプリの周回データをコンピユータ解析して地球近傍小惑星を探査しスペースデプリを除去に最適な周回軌道を有する前記地球近傍小惑星から飛翔体を出射して前記スペースデプリを除去するとともにシステムを金融市場で資産化することを特徴とするスペースデプリ除去システム
【請求項５４】
スペースデプリの周回データをコンピユータ解析して彗星を探査しスペースデプリを除去に最適な周回軌道を有する前記彗星から飛翔体を出射して前記スペースデプリを除去するとともにシステムを金融市場で資産化することを特徴とするスペースデプリ除去システム
【請求項５５】
スペースデプリの周回データをコンピユータ解析して地球近傍小惑星、彗星等から飛翔体を出射してこれに前記スペースデプリを包含して除去するとともにシステムを金融市場で資産化することを特徴とするスペースデプリ除去システム
【請求項５６】
スペースデプリの周回データをコンピユータ解析して地球近傍小惑星から飛翔体を出射してこれに前記スペースデプリを包含して除去するとともにシステムを金融市場で資産化することを特徴とするスペースデプリ除去システム
【請求項５７】
スペースデプリの周回データをコンピユータ解析して彗星から飛翔体を出射してこれに前記スペースデプリを包含して除去するとともにシステムを金融市場で資産化することを特徴とするスペースデプリ除去システム
【請求項５８】
スペースデプリの周回データをコンピユータ解析して地球近傍小惑星、彗星等を探査しスペースデプリを除去に最適な周回軌道を有する前記地球近傍小惑星、彗星等      から飛翔体を出射してこれに前記スペースデプリを包含して除去するとともにシステムを金融市場で資産化することを特徴とするスペースデプリ除去システム
【請求項５９】
スペースデプリの周回データをコンピユータ解析して地球近傍小惑星を探査しスペースデプリを除去に最適な周回軌道を有する前記地球近傍小惑星から飛翔体を出射してこれに前記スペースデプリを包含して除去するとともにシステムを金融市場で資産化することを特徴とするスペースデプリ除去システム
【請求項６０】
スペースデプリの周回データをコンピユータ解析して彗星を探査しスペースデプリを除去に最適な周回軌道を有する前記彗星から飛翔体を出射してこれに前記スペースデプリを包含して除去するとともにシステムを金融市場で資産化することを特徴とするスペースデプリ除去システム
【請求項６１】
スペースデプリの周回データをコンピユータ解析して地球近傍小惑星、彗星等から飛翔体を出射しこれを誘導して前記スペースデプリを除去するとともにシステムを金融市場で資産化することを特徴とするスペースデプリ除去システム
【請求項６２】
スペースデプリの周回データをコンピユータ解析して地球近傍小惑星から飛翔体を出射しこれを誘導して前記スペースデプリを除去するとともにシステムを金融市場で資産化することを特徴とするスペースデプリ除去システム
【請求項６３】
スペースデプリの周回データをコンピユータ解析して彗星から飛翔体を出射しこれを誘導して前記スペースデプリを除去するとともにシステムを金融市場で資産化することを特徴とするスペースデプリ除去システム
【請求項６４】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれを誘導して前記スペースデプリを除去するとともにシステムを金融市場で資産化することを特徴とするスペースデプリ除去システム
【請求項６５】
スペースデプリの周回データをコンピユータ解析して地球近傍小惑星を探査しスペースデプリを除去に最適な周回軌道を有する前記地球近傍小惑星から飛翔体を出射しこれを誘導して前記スペースデプリを除去するとともにシステムを金融市場で資産化することを特徴とするスペースデプリ除去システム
【請求項６６】
スペースデプリの周回データをコンピユータ解析して地球近傍小惑星、彗星等から飛翔体を出射しこれを誘導し前記飛翔体に前記スペースデプリを包含して除去するとともにシステムを金融市場で資産化することを特徴とするスペースデプリ除去システム
【請求項６７】
スペースデプリの周回データをコンピユータ解析して地球近傍小惑星から飛翔体を出射しこれを誘導し前記飛翔体に前記スペースデプリを包含して除去するとともにシステムを金融市場で資産化することを特徴とするスペースデプリ除去システム
【請求項６８】
スペースデプリの周回データをコンピユータ解析して彗星から飛翔体を出射しこれを誘導し前記飛翔体に前記スペースデプリを包含して除去するとともにシステムを金融市場で資産化することを特徴とするスペースデプリ除去システム
【請求項６９】
スペースデプリの周回データをコンピユータ解析して彗星から飛翔体を出射しこれを誘導し前記飛翔体に前記スペースデプリを包含して除去するとともにシステムを金融市場で資産化することを特徴とするスペースデプリ除去システム
【請求項７０】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれを誘導し前記飛翔体に前記スペースデプリを包含して除去するとともにシステムを金融市場で資産化することを特徴とするスペースデプリ除去システム
【請求項７１】
スペースデプリの周回データをコンピユータ解析して地球近傍小惑星を探査しスペースデプリを除去に最適な周回軌道を有する前記地球近傍小惑星から飛翔体を出射しこれを誘導し前記飛翔体に前記スペースデプリを包含して除去するとともにシステムを金融市場で資産化するとともにシステムを金融市場で資産化することを特徴とするスペースデプリ除去システム
【請求項７２】
スペースデプリの周回データをコンピユータ解析して彗星を探査しスペースデプリを除去に最適な周回軌道を有する前記彗星から飛翔体を出射しこれを誘導し前記飛翔体に前記スペースデプリを包含して除去するとともにシステムを金融市場で資産化することを特徴とするスペースデプリ除去システム
【請求項７３】
スペースデプリの周回データをコンピユータ解析して地球近傍小惑星、彗星等から飛翔体を出射してこれに第二宇宙速度もしくはこれを超えた速度を与えて前記スペースデプリを除去するとともにシステムを金融市場で資産化することを特徴とするスペースデプリ除去システム
【請求項７４】
スペースデプリの周回データをコンピユータ解析して地球近傍小惑星から飛翔体を出射してこれに第二宇宙速度もしくはこれを超えた速度を与えて前記スペースデプリを除去するとともにシステムを金融市場で資産化することを特徴とするスペースデプリ除去システム
【請求項７５】
スペースデプリの周回データをコンピユータ解析して彗星から飛翔体を出射してこれに第二宇宙速度もしくはこれを超えた速度を与えて前記スペースデプリを除去するとともにシステムを金融市場で資産化することを特徴とするスペースデプリ除去システム
【請求項７６】
スペースデプリの周回データをコンピユータ解析して地球近傍小惑星、彗星等を探査しスペースデプリを除去に最適な周回軌道を有する前記地球近傍小惑星、彗星等      から飛翔体を出射してこれに第二宇宙速度もしくはこれを超えた速度を与えて前記スペースデプリを除去するとともにシステムを金融市場で資産化することを特徴とするスペースデプリ除去システム
【請求項７７】
スペースデプリの周回データをコンピユータ解析して地球近傍小惑星を探査しスペースデプリを除去に最適な周回軌道を有する前記地球近傍小惑星から飛翔体を出射してこれに第二宇宙速度もしくはこれを超えた速度を与えて前記スペースデプリを除去することを特徴とするスペースデプリ除去システム
【請求項７８】
スペースデプリの周回データをコンピユータ解析して彗星を探査しスペースデプリを除去に最適な周回軌道を有する前記彗星から飛翔体を出射してこれに第二宇宙速度もしくはこれを超えた速度を与えて前記スペースデプリを除去するとともにシステムを金融市場で資産化することを特徴とするスペースデプリ除去システム
【請求項７９】
スペースデプリの周回データをコンピユータ解析して地球近傍小惑星、彗星等から飛翔体を出射してこれに第二宇宙速度もしくはこれを超えた速度を与えて前記スペースデプリを前記飛翔体に包含して除去するとともにシステムを金融市場で資産化することを特徴とするスペースデプリ除去システム
【請求項８０】
スペースデプリの周回データをコンピユータ解析して地球近傍小惑星から飛翔体を出射してこれに第二宇宙速度もしくはこれを超えた速度を与えて前記スペースデプリを前記飛翔体に包含して除去するとともにシステムを金融市場で資産化することを特徴とするスペースデプリ除去システム
【請求項８１】
スペースデプリの周回データをコンピユータ解析して彗星から飛翔体を出射してこれに第二宇宙速度もしくはこれを超えた速度を与えて前記スペースデプリを前記飛翔体に包含して除去するとともにシステムを金融市場で資産化することを特徴とするスペースデプリ除去システム
【請求項８２】
スペースデプリの周回データをコンピユータ解析して地球近傍小惑星、彗星等を探査しスペースデプリを除去に最適な周回軌道を有する前記地球近傍小惑星、彗星等      から飛翔体を出射してこれに第二宇宙速度もしくはこれを超えた速度を与えて前記スペースデプリを前記飛翔体に包含して除去するとともにシステムを金融市場で資産化することを特徴とするスペースデプリ除去システム
【請求項８３】
スペースデプリの周回データをコンピユータ解析して地球近傍小惑星を探査しスペースデプリを除去に最適な周回軌道を有する前記地球近傍小惑星から飛翔体を出射してこれに第二宇宙速度もしくはこれを超えた速度を与えて前記スペースデプリを前記飛翔体に包含して除去するとともにシステムを金融市場で資産化することを特徴とするスペースデプリ除去システム
【請求項８４】
スペースデプリの周回データをコンピユータ解析して彗星を探査しスペースデプリを除去に最適な周回軌道を有する前記彗星から飛翔体を出射してこれに第二宇宙速度もしくはこれを超えた速度を与えて前記スペースデプリを前記飛翔体に包含して除去するとともにシステムを金融市場で資産化することを特徴とするスペースデプリ除去システム
【請求項８５】
スペースデプリの周回データをコンピユータ解析して地球近傍小惑星、彗星等から飛翔体を出射しこれに第二宇宙速度もしくはこれを超えた速度を与えて誘導して前記スペースデプリを除去するとともにシステムを金融市場で資産化することを特徴とするスペースデプリ除去システム
【請求項８６】
スペースデプリの周回データをコンピユータ解析して地球近傍小惑星から飛翔体を出射しこれに第二宇宙速度もしくはこれを超えた速度を与えて前記飛翔体を誘導して前記スペースデプリを除去するとともにシステムを金融市場で資産化することを特徴とするスペースデプリ除去システム
【請求項８７】
スペースデプリの周回データをコンピユータ解析して彗星から飛翔体を出射しこれに第二宇宙速度もしくはこれを超えた速度を与えてこれを誘導して前記スペースデプリを除去するとともにシステムを金融市場で資産化することを特徴とするスペースデプリ除去システム
【請求項８８】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれに第二宇宙速度もしくはこれを超えた速度を与えてこれを誘導して前記スペースデプリを除去するとともにシステムを金融市場で資産化することを特徴とするスペースデプリ除去システム
【請求項８９】
スペースデプリの周回データをコンピユータ解析して地球近傍小惑星を探査しスペースデプリを除去に最適な周回軌道を有する前記地球近傍小惑星から飛翔体を出射しこれに第二宇宙速度もしくはこれを超えた速度を与えてこれを誘導して前記スペースデプリを除去するとともにシステムを金融市場で資産化することを特徴とするスペースデプリ除去システム
【請求項９０】
スペースデプリの周回データをコンピユータ解析して地球近傍小惑星、彗星等から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【請求項９１】
スペースデプリの周回データをコンピユータ解析して地球近傍小惑星から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【請求項９２】
スペースデプリの周回データをコンピユータ解析して彗星から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【請求項９３】
スペースデプリの周回データをコンピユータ解析して彗星から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【請求項９４】
スペースデプリの周回データをコンピユータ解析して地球近傍小惑星、彗星等を探査しスペースデプリを除去に最適な周回軌道を有する前記地球近傍小惑星、彗星等      から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【請求項９５】
スペースデプリの周回データをコンピユータ解析して地球近傍小惑星を探査しスペースデプリを除去に最適な周回軌道を有する前記地球近傍小惑星から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【請求項９６】
スペースデプリの周回データをコンピユータ解析して彗星を探査しスペースデプリを除去に最適な周回軌道を有する前記彗星から飛翔体を出射しこれに第二宇宙速度もしくはこれを超えた速度を与えてこれを誘導し前記飛翔体に前記スペースデプリを前記飛翔体に包含して除去するとともにシステムを金融市場で資産化することを特徴とするスペースデプリ除去システム
【発明の詳細な説明】
【技術分野】
【０００１】
本発明は、スペースデプリの周回データをコンピユータ解析して地球近傍小惑星、彗星等からデプリ除去飛翔体を出射することによりスペースデプリを除去することを特徴とするスペースデプリ除去システムに関するものである。
【背景技術】
【０００２】
近年、宇宙開発進展に伴って使用済みロケット、故障、耐用年数切れ人工衛星、スペースデブリ同士の衝突等で発生した微細デブリ等スペースデブリの総数は増加している。さらに、2009年人工衛星衝突事故のようにこれら衝突事故によるスペースデプリ発生があり今後、宇宙開発に多大な損害が予想されている。
そこで、各国宇宙機関では下記のような前記スペースデプリ対応策が提案されている。
１）高強度レーザーを使用してスペースデブリを地球大気に再突入して除去する（理化学研究所）。
２）導電性テザーをスペースデブリに取り付け、テザーに発生するローレンツ力を利用してスペースデブリの勢いを殺し大気圏に突入する（JAXA）。
３）ESA（欧州宇宙機関）の「Clean Space」計画では、たとえばポーランドのSKA Polskaによる投網銃でカメラとコンピュータプログラムによって“投網”し回収する方法やスイスからの複合型“パックマン”方式がある。
４）使用済み人工衛星を墓場軌道へ移動してスペースデブリの衝突を避ける（静止衛星）。
５）「死んだ人工衛星」の分解・再利用を目指す「Phoenix」計画  （米国防高等研究計画局DARPA）。
６）NASAが小惑星の軌道を変えるDART実験を承認。2022年、二重小惑星ディディモスに冷蔵庫大の宇宙機を衝突させる。「小惑星再配置ミッション(Asteroid Redirect Mission)、 Asteroid Impact and Deflection Assessment(AIDA)計画
【非特許文献１】高強度レーザーによるスペースデブリ除去技術  理化学研究所。
【非特許文献２】スペースデプリ  Wikipedia
【非特許文献３】『プラネテス』の時代ももうすぐそこ！  増え続ける宇宙ゴミを一網打尽!? 対策が進むスペースデブリ回収」「T-SITE
【非特許文献４】2009年人工衛星衝突事故  Wikipedia
【非特許文献５】墓場軌道  Wikipedia
【非特許文献６】地球の軌道上はゴミだらけ。死んだ衛星の処理、法整備へGIZMODO
【非特許文献７】「死んだ衛星」を宇宙で再利用、DARPA動画  WIRED
【非特許文献８】NASAが小惑星の軌道を変えるDART実験を承認。2022年、二重小惑星ディディモスに冷蔵庫大の宇宙機を衝突 engadget
【先行技術文献】
【特許文献】
【０００３】
特許出願番号２０１７−００９０３６
【非特許文献】
【０００４】
【非特許文献１】高強度レーザーによるスペースデブリ除去技術  理化学研究所。http://www.riken.jp/pr/press/2015/20150421_2/
【非特許文献２】スペースデプリ  Wikipediahttps://ja.wikipedia.org/wiki/%E3%82%B9%E3%83%9A%E3%83%BC%E3%82%B9%E3%83%87%E3%83%96%E3%83%AA
【非特許文献３】『プラネテス』の時代ももうすぐそこ！  増え続ける宇宙ゴミを一網打尽!? 対策が進むスペースデブリ回収」「T-SITEhttp://top.tsite.jp/news/news/o/29433345/
【非特許文献４】2009年人工衛星衝突事故  Wikipediahttps://ja.wikipedia.org/wiki/2009%E5%B9%B4%E4%BA%BA%E5%B7%A5%E8%A1%9B%E6%98%9F%E8%A1%9D%E7%AA%81%E4%BA%8B%E6%95%85
【非特許文献５】墓場軌道  Wikipediahttps://ja.wikipedia.org/wiki/%E5%A2%93%E5%A0%B4%E8%BB%8C%E9%81%93
【非特許文献６】地球の軌道上はゴミだらけ。死んだ衛星の処理、法整備へGIZMODOhttp://www.gizmodo.jp/2015/04/post_16906.html
【非特許文献７】「死んだ衛星」を宇宙で再利用、DARPA動画  WIRED  http://wired.jp/2013/01/24/darpa-phoenix/
【非特許文献８】NASAが小惑星の軌道を変えるDART実験を承認。2022年、二重小惑星ディディモスに冷蔵庫大の宇宙機を衝突 engadgethttp://japanese.engadget.com/2017/07/06/nasa-dart-2022/
【非特許文献９】宇宙航空研究開発機構スペースデブリに関してよくある質問（FAQ）http://www.kenkai.jaxa.jp/research_fy27/mitou/mit-faq.html
【非特許文献１０】第二宇宙速度とは宇宙速度  Wikipediahttps://ja.wikipedia.org/wiki/%E5%AE%87%E5%AE%99%E9%80%9F%E5%BA%A6
【非特許文献１１】地球近傍小惑星  Wikipediahttps://ja.wikipedia.org/wiki/%E5%9C%B0%E7%90%83%E8%BF%91%E5%82%8D%E5%B0%8F%E6%83%91%E6%98%9F
【発明の概要】
【発明が解決しようとする課題】
【０００５】
しかし、前記１）方法は対象スペースデプリが数ｃｍ程度の極小サイズが中心である。さらに、地球大気に再突入時の軌道降下中に他のスペースデプリ衝突による二次拡散の心配がある。
２）,３）方法は、地上から別途ロケット等で除去資材を宇宙空間に打上げスペースデプリ対処をする必要がありコストパフォーマンスが悪い。また宇宙空間で除去資材が高速移動するためシステム機構故障やミッション失敗時にこれ自体がスペースデブリになってしまうという二面性がある。
４）方法は、予め人工衛星に燃料を残しておき寿命が終焉したのちそこへ移動する。
しかし、「静止軌道上の衛星を墓場軌道に移動するには、衛星が3ヶ月間静止軌道を維持するために必要な燃料と同量燃料を必要とする。また、軌道変更操作を行なっている間は、確実な姿勢コントロールができなくてはならない。多くの人工衛星は役割を終えるときに墓場軌道への移動が試みられるが、この操作に成功するのは3分の1程度であり、移動前に故障して運用を終えざるを得ない衛星が多い。」
５）方法は、大規模な修理ドック（宇宙ドックともいう）を宇宙に打上げる必要があり巨額なコストが必要であるし各国間の法的問題もあるといわれている。
6)方法は、小惑星等の軌道を人工衛星等の飛翔体の衝突により変更する手法であるがこの場合、飛翔体の衝突速度とその質量が問題である。このような質量の物体を地球から宇宙空間に搬送するためには巨大推進力を有するロケットが必要である。
一般的に、前記スペースデブリ除去システムの構成、輸送手段は高額である。このため実際システム運営に対しては保険対策の設定が不可欠である。
そこで、例えば一つのスペースデプリ除去システムに補償担保等保険を設定する。
これを証券担保等として金融市場で資産化すれば金融需要が活性化され宇宙産業の発展が促進する。さらに、金融機関で確実性の高い長期プライムレートとして利用が可能となる。スペースデブリ衝突による各種宇宙産業損失が防止できれば宇宙開発の安全性が飛躍的に高まり新たな宇宙産業が創成する。
【課題を解決するための手段】
【０００６】
本発明は、スペースデプリの周回データをコンピユータ解析して地球近傍小惑星、彗星等からデプリ除去飛翔体を出射してこれを除去することを特徴とするスペースデプリ除去システムに関するものである。
本発明では
１.  宇宙空間のスペースデプリに関する周回データを作成する。
前記周回データをコンピユータ解析してスペースデプリ除去に必要な分析データを取得して
２. スペースデプリ除去に適した軌道、原料を有した地球近傍惑星、彗星等を探査する。
３．地球近傍惑星、彗星等に着陸して足場としここでデプリ除去飛翔体を製造する。
４．製造したデプリ除去飛翔体を地球近傍惑星、彗星等の軌道を使用してスペースデプリに向けて出射する。
５．デプリ除去飛翔体を第二宇宙速度もしくはこれを超える速度でスペースデプリに、衝突、接触、接近等して地球軌道から離脱除去する。
６．本システムを証券担保等として金融市場で資産化する。
【発明の効果】
【０００７】
本発明によれば、地球近傍小惑星、彗星等からスペースデプリ除去飛翔体を出射してスペースデプリを除去する。つまり、これらの軌道を周回するエネルギーをスペースデプリ除去飛翔体出射に使用することでスペースデプリ除去が可能となる。このため、従来提案されているスペースデプリ除去の飛翔体出射にかかわる高価な輸送ロケット等を必要としないので輸送燃料費が少なくコストパフォーマンスが高い利点がある。さらに、従来の方法ではその都度輸送ロケット等を打上げてスペースデプリ除去をする必要があるが本発明に使用する地球近傍小惑星、彗星等は地球を所定周回するのでこれを足場にデプリ除去飛翔体システムを設置しておけば複数回のスペースデプリ除去も低エネルギー、低コストで可能である。しかも、スペースデプリ形状に合わせてデプリ除去飛翔体を最適形態に加工して除去処理することができるので除去効果、確率が高い。スペースデプリ除去システムに巨額な証券担保等が設定できる。これを金融市場で証券として資産化すれば金融市場等がより活性化し宇宙産業の発展がより促進する利点がある。
【図面の簡単な説明】
【０００８】
【図１】本発明のシステム概略図
【図２】本発明のデプリ除去飛翔体の概略図
【図３】本発明のシステムの通信制御系概略図
【図４】本発明のシステムの他のフローチャート
【図５】本発明のシステムの他のフローチャート
【図６】本発明のシステムの他のフローチャート
【図７】本発明のシステムの他のフローチャート
【発明を実施するための形態】
【０００９】
本発明は、スペースデプリの周回データをコンピユータ解析してその解析データにより地球近傍小惑星、彗星等からデプリ除去飛翔体を出射してこれを除去することを特徴とするスペースデプリ除去システムに関する。本発明では、スペースデプリは前記宇宙監視ネットワーク,システム等の監視手段により常時監視する。まず、前記システム、人工衛星等から取得したスペースデプリ周回データをコンピユータ解析してその解析データによりスペースデプリ除去に適した軌道、原料を有した地球近傍惑星、彗星等を人工衛星により探査しこれを周回輸送手段に使用する。ロケット等で前記周回輸送手段にデプリ除去飛翔体原料、製造システムを搬送しこれを足場としてデプリ除去飛翔体を製造する。または、ロケット等でデプリ除去飛翔体を地球から前記周回輸送手段に搬送する。
前記周回輸送手段軌道から前記デプリ除去飛翔体を前記解析データにより所定の脱出速度で出射して地球軌道所定位置でスペースデプリを接触、衝突、接近等により捕獲する。デプリ除去飛翔体はスペースデプリを捕獲した状態で地球軌道を周回する。デプリ除去飛翔体速度が第二宇宙速度もしくはこれを超えた場合、デプリ除去飛翔体は地球軌道から脱出しスペースデプリは除去される。
ここにおいて、デプリ除去飛翔体の速度を調節してスペースデプリを宇宙空間で接触、衝突、接近等により捕獲して前記「Phoenix」計画  （米国防高等研究計画局DARPA）による修理ドック（宇宙ドック）として使用してもよい。
また、本システムにおいて地球に衝突する恐れのある小惑星をスペースデプリとして解析しデプリ除去飛翔体の質量、速度を調節して接触、衝突等させれば前記NASAの小惑星再配置ミッション(Asteroid Redirect Mission)、Asteroid Impact and Deflection Assessment(AIDA)計画に使用することも可能である。
前記システムとして周回輸送手段にはデプリ出射手段、 出射コントロール手段、 飛翔体製造手段を予めデプリ除去飛翔体輸送手段により搬送設置する。
デプリ除去飛翔体は、飛翔体製造手段により周回輸送手段表面岩石等から成型して製造する。デプリ除去飛翔体には、スペースデプリを周回捕捉するためデプリ探知手段,推進手段,推進手段コントロール手段を具備してもよい。スペースデプリを前記デプリ探知手段により探知し推進手段コントローラにより推進手段を任意方向に駆動することによりこれに精密誘導する。また、推進手段コントローラに通信手段を設置して地球から推進手段を遠隔駆動してもよい。
推進手段は使用後切離してもよい。また、デプリ除去飛翔体の進行方向にスペースデプリを捕獲したとき分解しないように衝突保護手段を取付けてもよい。推進手段コントローラ、デプリ探知手段、推進手段は前記デプリ除去飛翔体輸送手段により輸送時に搬送しデプリ除去飛翔体製造時に取付ければいい。
スペースデプリ除去システム通信制御はスペースデプリ、地球近傍小惑星、彗星等の所定位置に人工衛星を打上げる。各々データを地球上の監視手段、観測手段に伝達しコンピュータで処理する。
さらに、本発明のシステムを証券担保等として金融市場で資産化する。
【実施例１】
【００１０】
本発明は、スペースデプリ周回データをコンピユータ解析して地球近傍小惑星、彗星等からデプリ除去飛翔体を出射してこれを除去することを特徴とするスペースデプリ除去システムに関するものである。
図１のシステム概略図を参照して説明する。
ここでいうスペースデプリ（文中宇宙デプリという）とは「宇宙デプリとはなんらかの意味がある活動を行うことなく地球衛星軌道上（低・中・高軌道）を周回している人工物体」を言う。
宇宙デプリは「地球観測衛星等が使用する高度2000km以下の低軌道、通信衛星や気象衛星等が使用する高度約36000kmの静止軌道、GPS衛星等が使用する高度約20000kmの12時間周期軌道等、よく使用される軌道が混雑しています。特に、低軌道の高度約700〜1000km付近が一番混雑しています。」
これらは「北アメリカ航空宇宙防衛司令部（NORAD）の宇宙監視ネットワーク（Space Surveillance Network、略称：SSN）、ロシアの宇宙監視システム（Space Surveilance System、略称：SSS）などでは約10cm以上の比較的大きなデブリをカタログに登録して常時監視が行われている。」
【非特許文献２】スペースデプリ  Wikipediahttps://ja.wikipedia.org/wiki/%E3%82%B9%E3%83%9A%E3%83%BC%E3%82%B9%E3%83%87%E3%83%96%E3%83%AA
【非特許文献９】宇宙航空研究開発機構スペースデブリに関してよくある質問（FAQ）http://www.kenkai.jaxa.jp/research_fy27/mitou/mit-faq.html同図において、スペースデプリ6は地球１の低・中・高軌道2,3,4内の宇宙空間5に周回している。スペースデプリ6は前記宇宙監視ネットワーク,システム等の監視手段50により常時監視している。本発明では、地球近傍小惑星、彗星等周回輸送手段30の軌道10からデプリ除去飛翔体30Aをスペースデプリ6の周回データ等をコンピユータ解析した解析データにより周回輸送手段30からその脱出速度でB方向に出射する。デプリ除去飛翔体30Aは軌道10に沿った自身の軌道11を描いてデプリ除去飛翔体30BとしてC方向に巡航しスペースデプリ6軌道４を通過する。この時に所定位置でスペースデプリ6Bを接触、衝突、接近等で捕獲する。デプリ除去飛翔体30Bはデプリ除去飛翔体30Cを捕獲した状態でD方向に周回飛行する。この時、デプリ除去飛翔体30Bが第二宇宙速度もしくはこれを超えた速度であればデプリ除去飛翔体30Cはデプリ除去飛翔体30Dとして地球軌道2,3,4から移動除去する。ここにおいて、デプリ除去飛翔体30Bの速度を調節してスペースデプリ6Bを宇宙空間5で接触、衝突、接近等により捕獲して前記「Phoenix」計画  （米国防高等研究計画局DARPA）による修理ドック（宇宙ドック）として使用してもよい。また、本システムにおいて地球に衝突する恐れのある小惑星をスペースデプリとして解析しデプリ除去飛翔体30Bの質量、速度を調節して接触、衝突等させれば前記NASAの小惑星再配置ミッション(Asteroid Redirect Mission)、Asteroid Impact and Deflection Assessment(AIDA)計画に使用することも可能である。
【非特許文献１０】第二宇宙速度とは宇宙速度  Wikipediahttps://ja.wikipedia.org/wiki/%E5%AE%87%E5%AE%99%E9%80%9F%E5%BA%A6ここにおいて、周回輸送手段20には図示しないロケット等のデプリ除去飛翔体輸送手段によりデプリ除去飛翔体30Aを地球近傍軌道10に出射するデプリ出射手段23、 デプリ出射手段23の出射コントロールをする出射コントロール手段21、 デプリ除去飛翔体30Aを周回輸送手段20の例えば表面岩石等33から製造するため飛翔体製造手段22を輸送設置する。ここにおいて地球近傍小惑星とは「地球近傍小惑星とは、地球に接近する軌道を持つ天体のうち小惑星のみを指す。英語でNEAs (Near Earth Asteroid) と呼ばれることもある。NASAによると地球に接近するために監視が必要とされるものは約8500個とされる。」である。
【非特許文献１１】地球近傍小惑星  Wikipediahttps://ja.wikipedia.org/wiki/%E5%9C%B0%E7%90%83%E8%BF%91%E5%82%8D%E5%B0%8F%E6%83%91%E6%98%9F図2は、デプリ除去飛翔体30Aの概略を示している。デプリ除去飛翔体30Aは、周回輸送手段20（図示せず）の例えば表面岩石等30（図示せず）から飛翔体製造手段22により成型して製造する。デプリ除去飛翔体30Aは前記解析データによりスペースデプリ6の形状に合わせて捕獲に最適な形状に成型すればよい。デプリ除去飛翔体30Aには、これを誘導してスペースデプリ6Bを精密捕獲できるようにデプリ探知手段32、小型ロケット等推進手段33A,33Bとその探知及び推進手段コントローラ31とを所定位置に設置してもよい。そして、デプリ探知手段32によりスペースデプリ6Bを探知し推進手段コントローラ31により推進手段33A,33BをE, F方向に駆動してデプリ除去飛翔体30Aを軌道11上宇宙空間5にスペースデプリ6に精密誘導して捕獲するようにしてもよい。さらに、推進手段コントローラ31に通信手段34を設置して地球１から小型ロケット等推進手段33A,33Bを遠隔操作してもよい。使用後の推進手段33A,33Bは33A1,33B2のように使用後デプリ除去の妨げにならないように切離してしてもよい。また、デプリ除去飛翔体30Aの進行方向に網等デプリ捕獲手段35やデプリ捕獲時の衝突でデプリ除去飛翔体30Aが衝撃で破壊しないようにその周囲位置に衝突保護手段36を取付けてもよい。推進手段コントローラ31、デプリ探知手段32、推進手段33A,33Bは前記デプリ除去飛翔体輸送手段により予め周回輸送手段20に搬送しデプリ除去飛翔体30Aに製造時に取付ければいい。図3はスペースデプリ除去システム通信制御系概略を示している。本システムでは人工衛星40、41を地球１、周回輸送手段20の周回軌道所定位置に打上げ各種データを取得して地球１上監視手段50、観測手段53により伝達してシステム制御をするようになっている。その詳細について説明する。デプリ6は監視手段50により観測し観測データD20を取得する。観測データD20はコンピユータを具備した解析手段51により解析して周回データ等を含んだ解析データD31を中央センター52に伝達する。中央センター52は後述する各種データD21,22,１,２,３,４をコンピユータ処理して監視手段50、観測手段53を介し人口衛星40、41、各手段を制御する。人工衛星40は、周回輸送手段20から出射したデプリ除去飛翔体30B,30C、スペースデプリ6を観測し観測データD20,21,22を取得して監視手段50に伝達する。観測データD21,22については監視手段50により直接収集してもよい。人工衛星41は、周回輸送手段20の物理特性的、原料等探査データD1と出射後のデプリ除去飛翔体30Aの観測データD4を取得して観測手段53に伝達する。観測手段53は探査データD1を解析手段54のコンピユータにより解析して中央センター52に伝達する。観測手段53は中央センター52からの制御データD30により人工衛星41制御と出射コントロール手段21,飛翔体製造手段22制御データD2,D3を伝達する。ここにおいて周回輸送手段20の探査は例えば特許出願番号2017&#8212;009036に示す人工衛星システムを使用してデータ取得をすればよい。次に、本発明のシステム運用についてフローチャート図４,５,６,７を参照してその概略を説明する。始めに、地球の軌道に存在するスペースデプリ6を前記宇宙監視ネットワーク、人口衛星40で探査してその速度、組成、形状等物理的な周回データを取得する（ステップ１,２）。スペースデプリ6の増加数等必要に応じて周回データ取得をする（ステップ３,１）。前記周回データをコンピユータで解析し解析データを取得しこれからスペースデプリ除去に適した軌道１０等を所有する地球近傍小惑星、彗星等の周回輸送手段30の探査計画を企画する（ステップ４）。探査計画の資金をクラウドファンド等資金調達機関により調達する（ステップ５）。前記資金により周回輸送手段30を探査する人工衛星を製作する（ステップ６）。担保補償等保険を掛ける（ステップ７）。足らなければ再度保険金募集する（ステップ７,５,６）。人工衛星41を周回輸送手段30に飛行してこれを探査する（ステップ８）。周回輸送手段30である小惑星、彗星等はオールトの雲およびまたはカイパーベルトに存在するものを対照としてもよい。人工衛星41の探査データをコンピユータで解析して解析データによりスペースデプリ除去に適した周回データを所有する周回輸送手段30を探査する。周回輸送手段30に資材を搬送するロケット等のデプリ除去飛翔体輸送手段の製作資金をクラウドファンド等資金調達機関により調達する（ステップ９）。資金でデプリ除去飛翔体輸送手段を製作する（ステップ10）。デプリ除去飛翔体輸送手段飛行中の保険等を例えばクラウドファンド等資金調達機関により出資者から資金を募集する（ステップ11）。資金が足らなければ再度募集する（ステップ11,９,10）。デプリ除去飛翔体輸送手段を周回輸送手段30に飛行してデプリ除去飛翔体、システムに必要な資材を搬送する（ステップ12,13）。ここにおいて、スペースデプリ除去方法の選択とは（ステップ14）１）周回輸送手段30の原料でデプリ除去飛翔体30Aを製作する（ステップ16,17）。２）デプリ除去飛翔体輸送手段にロケット等を使用してデプリ除去用手段（図示せず）のロケット等搬送システムを搬送する。（ステップ19,20）。これらシステムを保険化してクラウドファンド等資金調達機関により資金を募る（ステップ18）。１）の場合、資材を周回輸送手段30に搬送してこの表面岩石等30からデプリ除去飛翔体30Aを製作しこれをスペースデプリ６に出射する（ステップ15,16,17,21,22,23,24,26）。デプリ除去飛翔体30Aは前記解析データによりスペースデプリ6の形状に合わせて捕獲に最適な形状に成型すればよい。２）の場合デプリ除去用手段を目的のスペースデプリ６まで搬送するためにまず複数の搬送ロケット（図示せず）を設計製作する。これを周回輸送手段30に搬送してスペースデプリ６除去に使用する（ステップ19,20,21,22,23,25,26）。以降、周回輸送手段30の軌道からデプリ除去飛翔体30A,デプリ除去用手段を出射するとともにこれをナビゲートして宇宙空間５のスペースデプリ６を除去する（ステップ27,28,29,30）。
【産業上の利用可能性】
【００１１】
本発明のスペースデプリ除去システムによれば地球軌道のスペースデプリ除去により宇宙開発に使用可能な宇宙空間が広域化する。広域化した軌道に各種の人工衛星が安全に打上げられるようになり各種宇宙産業が発展し経済が活性化する。さらに、人工衛星探査により惑星、小惑星、彗星等の有用資源発見が可能となる。前記システムを巨額な補償担保等として金融市場で資産化すれば新たな宇宙開発費の捻出が可能になる。
【符号の説明】
【００１２】
1                      地球  
2,3,4                  地球軌道  
5                      宇宙空間
6,6A, 6B, 6C, 6D      スペースデプリ
10                    地球近傍軌道
11                    デプリ除去飛翔体軌道
20                    周回輸送手段
21                    出射コントロール手段,
22                    飛翔体製造手段
30                    表面岩石等
30A,30B,30C,30D      デプリ除去飛翔体
31                    推進手段コントローラ
32                    デプリ探知手段
33A,33B,33A1,33B１  小型ロケット等推進手段
35                    デプリ捕獲手段
36                    衝突保護手段
40,41                  人工衛星
50                    監視手段
51                    解析手段
52                    中央センター
53                    観測手段
54                    解析手段
B, C, D                方向    
D20 D20,21,22        観測データ
【図１】
2019031262.tif 000003
【図２】
2019031262.tif 000004
【図３】
2019031262.tif 000005
【図４】
2019031262.tif 000006
【図５】
2019031262.tif 000007
【図６】
2019031262.tif 000008
【図７】
2019031262.tif 000009